(57)【特許請求の範囲】
【請求項１】
底部に複数の脚体が突設されたパネル面の周側壁に、側壁から外方へ突出した継手部と側壁の下方へ突出した継手部が設けられ、並設した床パネル同士が前記継手部を介して連結一体化するように形成された床パネルの端部に取り付けられる端部納め材であって、
パネル面の周辺の一方の側壁が前記床パネルの側壁と略同高さ、他方の側壁がそれよりも低い高さに設けられ、前記一方の側壁には、前記床パネルの脚体に係合する係合部を先端に有する継手片が突設されているとともに前記床パネルの側壁から外方へ突出した継手部が挿通可能な大きさの切欠き凹部が設けられていることを特徴とする床パネルの端部納め材。
【請求項２】
継手片の先端に設けた係合部を、床パネルの円柱状に形成された脚体に係合し得るように円環状に形成したことを特徴とする請求項１に記載の床パネルの端部納め材。
【請求項３】
端部納め材の他方の側壁及び内部に、排水用の切欠きを設けたことを特徴とする請求項１又は２に記載の床パネルの端部納め材。
【発明の詳細な説明】
【０００１】
【発明の属する技術分野】
本発明は、床版上に敷設する床パネルの端部処理に用いられる端部納め材に関する。
【０００２】
【従来の技術】
モルタル床上や路面、庭先など屋内外の床版上に床面を形成するために用いられる床パネルは、例えば図９に示されているように、パネル面９１の周側壁に継手部としての係合受部９２と係合突部９３とを有して形成され、これら継手部を介して隣接し合う複数枚の床パネル９０を連結一体化し、分離したり隙間を生じさせたりせずに敷き詰めることができるようになっている。
このような床パネル９０の端部には、床パネルの厚みに相当する段差が出来るため、歩行の支障とならないよう、傾斜したパネル面を有する端部納め材が取り付けられる。
【０００３】
【発明が解決しようとする課題】
床パネル及び端部納め材は合成樹脂により成形されており、周囲温度の変化によって熱伸縮し、共に寸法を変化させやすいものであるが、従来の端部納め材は上記継手部９２，９３を介して床パネル９０の側壁に一体に連結されるため、床パネルと分離して熱伸縮することが妨げられ、床パネル９０との接合部に応力を発生させ、パネル面が曲がったり凹んだりするなどの変形を来し、床面に不陸を生じさせやすいという問題があった。
また、床パネル９０の端部は、係合受部９２が設けられた側壁と係合突部９３が設けられた側壁とで形状が異なるため、図示されている如く、それぞれの側壁形状に対応させた二種類の端部納め材９４ａ，９４ｂが必要であった。
さらに、上記床パネル９０はパネル面の下部に設けられた凹溝（図示せず）から適宜排水できるようになっているが、従来の端部納め材は排水性を考慮して形成されておらず、パネル面下方に雨水が溜まりやすいとう問題があった。
【０００４】
本発明は、上記のように、パネル面が脚体で支持されてなる床パネルの端部に取り付けられ、床パネルと一体の床面を形成する端部納め材において、床パネルとの接合部を伸縮可能に設けて熱伸縮による応力を発生し難いものとすると共に、形状の異なる側壁に共用して取り付けることができ、パネル面下方に流入した雨水を効率的に排水できるようにすることを課題とする。
【０００５】
【課題を解決するための手段】
上記課題を解決するための本発明の端部納め材は、底部に複数の脚体が突設されたパネル面の周側壁に、側壁から外方へ突出した継手部と側壁の下方へ突出した継手部が設けられ、並設した床パネル同士が前記継手部を介して連結一体化するように形成された床パネルの端部に取り付けられる端部納め材であって、パネル面の周辺の一方の側壁を前記床パネルの側壁と略同高さ、他方の側壁をそれよりも低い高さに設け、前記一方の側壁には、前記床パネルの脚体に係合する係合部を先端に有する継手片を突設するとともに前記床パネルの側壁から外方へ突出した継手部が挿通可能な大きさの切欠き凹部を設けて形成されている。
【０００６】
これによれば、端部納め材が継手片を介して床パネルに取り付けられ、床パネル端面に固定されないので、周囲温度が変化すると、床パネルとは独立して伸縮し、これに伴って継手片も弾性変形し、伸縮に伴う応力の発生を防止することができる。この場合、継手片の係合部を円環状とし、これを床パネルの円柱状に形成された脚体に挿通して係合することが好ましい。
【０００７】
上記端部納め材の他方の側壁及び内部には、排水用の切欠きを設けることがより好ましい。
【０００８】
【発明の実施の形態】
本発明の好適な実施形態を図面を参照して説明する。
図１〜図３は本形態の床パネルを示し、図１は底面側外観図、図２は側壁に設けられた係合受部と係合突部の拡大外観図、図３は隣接床パネル同士を連結した状態を示す拡大断面図である。
【０００９】
本形態の床パネル１は、合成樹脂を用い、単位パネル１１を縦横三列に並べ、隣接する各単位パネル１１の周側壁を内継手１２により連結し、一つのブロックパネルとして一体に成形したものである。
【００１０】
各単位パネル１１は、平面視略正方形のパネル面１３を有し、その周囲に側壁１４を垂設すると共に、パネル面１３の底部であって各側壁から所定間隔内方の位置に、床版に敷設したときに当接してパネル面を支持する適宜高さの円柱状脚体１５，１５を各々突設させた形状としてある。
【００１１】
床パネル１の周側壁であって一つのコーナーを挟む隣接二辺内に配された単位パネル１１の側壁１４には、図２（Ａ）に示されているように、係合スリット１６ａを有して側壁底部から外方に適宜な幅に突出した継手部としての係合受部１６が設けられ、これと対向する他の隣接二辺内に配された単位パネル１１の側壁１４には、同図（Ｂ）に示されているように、側壁底部から下方に突出した継手部としての係合突部１７が設けてある。
これらは、図３に示されているように、係合突部１７を係合受部１６のスリット内に圧入することにより互いに係合可能な対応形状に形成されており、床パネル１の周囲に他の床パネル１や単位パネル単体を並設した際に、対応位置の係合受部及び係合突部を互いに係合させてパネル同士を連結できるようになっている。
なお、係合受部１６と係合突部１７は、床パネル周辺の単位パネル１１の側壁１４に互いに位置対応させてそれぞれ所定の間隔を開けて一対に配置されており、側壁１４側からパネル内方をみたときに、各部の配置間隙内に脚体１５，１５が位置するように、換言すれば脚体１５，１５の左右両側位置に各係合受部１６又は係合突部１７があるように設けてある。
【００１２】
また、図４〜図５は本形態の端部納め材を示し、図４は上面側外観図、図５は背面側の外観斜視図、図６は図４中のVI−VI線に沿った断面図であり、本形態の端部納め材２は、合成樹脂を用い、三つの単位納め材２１を並べ、隣接する単位納め材２１の側壁を内継手２２により連結し、上記床パネル１の端部に取り付け可能なブロック材として一体に成形したものである。
【００１３】
各単位納め材２１は、対向二辺を上記単位パネル１１の辺部と略同長さとした平面視略矩形のパネル面２３を有し、その周囲の内、上記対向二辺の一方に単位パネル１１の側壁１４と略同高さに側壁２４ａを垂設し、他方にこれよりも高さの低い側壁２４ｂを垂設し、上記対向二辺間の他の二辺にも側壁２４ｃ，２４ｄを垂設して、側壁２４ａ側から側壁２４ｂ側へパネル面２３が下方傾斜した形状に設けてある。
【００１４】
単位納め材２１の側壁２４ａには、先端に係合部２５ａを有する一対の継手片２５，２５が適宜な長さで突設されている。詳しくは、上記係合部２５ａは、単位パネル１１の脚体１５が挿通し得る大きさの円環状としてある。両継手片は、単位パネル１１の脚体１５，１５の配置間隔と同間隔離し、且つこれらに位置対応させて側壁２４ａに配置され、床版に単位パネル１１を敷設したときに床版とパネル面１２又は側壁１４との間隙（図２中のＤ１）内に差し入れることのできる高さ（図６中のＤ２）、及び係合部２５ａの開口径（図５中のＲ１）よりも小寸の細幅（図５中のＲ２）を有して側壁２４ａの外方に略垂直に突出させてある。両継手片の突出長さ、つまり側壁２４ａから係合部２５ａまでの長さ（図４中のＬ１）は、床パネル１の周側壁端面から脚体１５の突設位置までの幅（図１中のＬ２）と略同じとしてあり、単位パネル１１の脚体１５を上記係合部２５ａに挿通させると、単位パネル１１の側壁１４と側壁２４ａとが略接合するようになっている。
【００１５】
また、継手片２５，２５の左右両側の側壁２４ａには、単位パネル１１の側壁１４に突設された係合受部１６が挿通し得る大きさ形状の切欠き凹部２６が設けてあり、単位パネル１１の脚体１５を上記係合部２５ａに挿通させたときに、係合受部１６が納め材２１の内部に挿入配置されるようになっている。
【００１６】
さらに、単位納め材２１の内部及び側壁２４ｂには、図６に示されているように、排水用の切欠き２７が適宜設けられ、パネル面２２の下方に流入した雨水を上記切欠き凹部２６とこれら切欠き２７を通して外部に排出できるようになっている。
【００１７】
また、端部納め材２の両側に配された単位納め材２１の一側の側壁２４ｃに係合突部２８ａが、側壁２４ｄには係合受部２８ｂがそれぞれ設けてあり、端部納め材２を並設した際に、これら係合部を介して隣接端部納め材同士を連結できるようになっている（図４参照）。
【００１８】
このように形成された本形態の端部納め材２は、床パネル１の端部に隣接配置し、各単位パネル１１の端部下側の空隙からパネル面内に差し入れた継手片２５，２５を脚体１５，１５に係合させて床パネル１に連結し、傾斜パネル面２３を床パネル１のパネル面１３と一体化させて、端部に段差のない床面とすることができる。
【００１９】
この際、端部納め材２は、床パネル１の係合受部１６や係合突部１７又は側壁１４と直に連結するのではなく、床パネル１の内方に差し入れられた継手片２５，２５が脚体１５，１５と係合して取り付けられるので、図７に示されているように、係合受部１６が設けられた側や（同図（Ａ））、係合突部１７が設けられた側など（同図（Ｂ））、側壁形状に関わりなく床パネル１の端部に取り付けることができる。係合受部１６が突出する側壁１４であっても、係合受部１６が切欠き凹部２６より端部納め材２の内側に挿入配置されるので、当該側壁１４に端部納め材２の側壁２４ａを接合させて取り付け可能である。
【００２０】
また、端部納め材２は継手片２５，２５を介して床パネル１に連結するので、周囲温度の変化に伴う熱伸縮による影響を効率的に吸収することができる。
すなわち、図８に示されているように、端部納め材２は継手片２５，２５の係合部２５ａ，２５ａに床パネル１の脚体１５，１５を挿通して取り付けられ、その側壁２４ａは床パネル１の側壁１４に固定されてはいないので（同図（Ａ））、周囲温度が変化すると、床パネル１とは独立して長手方向（図中Ｘ方向）に沿って伸縮し、これに追随して継手片２５，２５も弾性変形するので、伸縮に伴う応力の発生を防止することができる（同図（Ｂ））。
この場合、継手片２５の幅を係合部２５ａの開口径より細くしてあるので、継手片２５にバネ性が付与されて弾性変形しやすく、また、係合部２５ａが円環状の連結部となっており、而も係合部２５ａに脚体１５が固着されてはいないから、継手片２５，２５の弾性変形に伴って係合部２５ａが脚体２５の廻りに回転して側壁２４ａの伸縮に追随し、継手片２５の側壁２４ａ側の元端部及び脚体１５と接合する先端部の両部で応力の発生し難いものとなっている。
【００２１】
さらに、端部納め材２の内部には、排水用の切欠き２７が設けてあるから、床パネル１に連結した状態であっても、パネル下方に流入した雨水を床面の外部に効率的に排出することができる。
【００２２】
上記床パネル１及び端部納め材２は、内継手１２，２２に沿って切断し、適宜形状のパネル、或いは単位パネル１１単体又は単位納め材２１単体として使用することができ、これらの場合でも単位パネル１１の脚体１５，１５に単位納め材２１を連結して端部を処理可能である。
また、床パネル１及び端部納め材２は、そのパネル面を装飾された平面形状とする他、図７に示されている如く床板３を載置し固着可能な支持枠形状とするなど適宜な形状とすることができ、その内部には必要に応じ補強用リブを配設することができる。
【００２３】
本形態では、継手片２５の係合部２５ａを、脚体１５が挿通可能な円環状に設けたが、脚体１５に確実に係合可能であれば他の形状としてもよい。また、床パネル１のパネル面下側に係止突部を別途設け、これに継手片２５を係合するように設けてもよい。
また、各単位納め材２１に二つの継手片２５，２５を所定間隔を開けて設けたが、一つの継手片２５のみを設けてもよい。また、継手片２５の形成寸法は、上記のように所定の高さ以内とする必要がある他、弾性変形可能な適宜な幅及び長さに選定可能である。
【００２４】
【発明の効果】
本発明の床パネルの端部納め材によれば、床パネルの端部に安定的に取り付けられて段差のない一体の床面を形成することができると共に、熱伸縮に対し、床パネルとは独立して寸法を変化せしめて熱伸縮に伴う応力の発生を防止し、形状の異なる側壁に共用して取り付けることができ、且つ良好な排水性を発揮することができる。
【図面の簡単な説明】
【図１】本発明の一実施形態の床パネルの底面側外観図である。
【図２】（Ａ），（Ｂ）は図１の床パネルの側壁に設けられた係合受部と係合突部の拡大外観図である。
【図３】図１の床パネルを連結した状態を示す拡大断面図である。
【図４】本発明の一実施形態の端部納め材の上面側外観図である。
【図５】図１の端部納め材の背面側の外観斜視図である。
【図６】図４中のVI−VI線に沿った断面図である。
【図７】（Ａ），（Ｂ）は端部納め材を床パネルに連結した状態を示す拡大断面図である。
【図８】端部納め材の伸縮機能を説明するための図である。
【図９】従来の床パネルを説明するための図である。
【符号の説明】
1   床パネル
11   単体パネル
15   脚体
2   端部納め材
21   単位納め材
25   継手片
25a  係合部
26   切欠き凹部
27   切欠き
【図１】
0003790040.tif 000002
【図２】
0003790040.tif 000003
【図３】
0003790040.tif 000004
【図４】
0003790040.tif 000005
【図５】
0003790040.tif 000006
【図６】
0003790040.tif 000007
【図７】
0003790040.tif 000008
【図８】
0003790040.tif 000009
【図９】
0003790040.tif 000010